(57)【要約】【課題】何度もメモ帳を捲ったりメモ用紙を剥がして使用しても分離し難く、且つ、剥がされたメモ用紙を付箋紙として使用でき、風に飛ばされたりして紛失し難いメモ帳を提供する。【解決手段】複数枚のメモ用紙３が重なってなり、且つそれらの一辺側３０１が下の一枚に粘着しているメモ帳２において、各メモ用紙３に、一辺側３０１を含む第１の部分３３と、それ以外の第２の部分３４とに分けるように仕切線３５が設けられ、また、第２の部分３４の下面に、繰返し貼着及び剥離可能な粘着剤層７２が塗布形成されており、それにより、複数枚のメモ用紙３のいずれかの一枚まで捲った後、それを仕切り線３５に沿って引き裂きながら第２の部分３４を外し、任意の場所に剥離可能に貼り付けることができるように構成する。【選択図】図３
2005205872.tif 000002
【特許請求の範囲】
【請求項１】
複数枚のメモ用紙が重なってなり、且つそれらの一辺側が下の一枚に粘着しているメモ帳において、
前記各メモ用紙に、前記一辺側を含む第１の部分と、それ以外の第２の部分とに分けるように仕切線が設けられ、また、前記第２の部分の下面に、繰返し貼着及び剥離可能な粘着剤層が塗布形成されており、
それにより、前記複数枚のメモ用紙のいずれかの一枚まで捲った後、それを前記仕切り線に沿って引き裂きながら前記第２の部分を外し、任意の場所に剥離可能に貼り付けることができることを特徴とするメモ帳。
【請求項２】
前記仕切線は、直線的に設けたミシン目であって前記一辺側に寄っており、それにより、前記第２の部分は記入部とされ、前記第１の部分は残存部とされ、且つ、前記記入部は前記残存部から容易に引き裂かれることができることを特徴とする請求項１に記載のメモ帳。
【請求項３】
前記各メモ用紙の前記残存部には、竪穴が開けてあることを特徴とする請求項２に記載のメモ帳。
【請求項４】
前記複数枚のメモ用紙は、上下に順次重なっていて、それぞれ所定枚数の前記メモ用紙を有する複数のメモ用紙ユニットに分けられており、
前記各メモ用紙ユニットの最も下にあるメモ用紙の下方に、仕切りシートが設けられていることを特徴とする請求項２に記載のメモ帳。
【請求項５】
前記各メモ用紙の前記残存部の下面に、繰返し貼着及び剥離可能な粘着剤層が更に塗布形成されていることを特徴とする請求項４に記載のメモ帳。
【請求項６】
前記各メモ用紙は、上下左右の４辺を有する方形であり、
前記各メモ用紙の前記記入部及び前記残存部の下面の粘着剤層は、それぞれ前記一辺側の縁部である４辺中の１辺から前記仕切線を超える位置まで塗布形成されている粘着剤層の対応部分からなっていることを特徴とする請求項５に記載のメモ帳。
【請求項７】
前記複数のメモ用紙ユニットは、それぞれ異なる色を有することを特徴とする請求項４乃至請求項６のいずれかの１項に記載のメモ帳。
【請求項８】
前記一辺側の方から断面Ｕ字形の強化部材が前記複数枚のメモ用紙を挟むように設けられ、該断面Ｕ字形の強化部材の前記最も上のメモ用紙に当てている部分が前記仕切り線まで覆っていることを特徴とする請求項１乃至請求項７のいずれかの１項に記載のメモ帳。
【発明の詳細な説明】
【技術分野】
【０００１】
本発明は、メモ帳に関し、特に複数枚の色や図面（絵柄）付きのメモ用紙が重なったメモ帳に関する。
【背景技術】
【０００２】
従来から、図１に示すように、複数枚の色や図面付きの長方形のメモ用紙１１が重なってなり、且つ粘着剤層１２によりそれらの一辺側の縁部だけがその下の一枚に容易に剥離できるように粘着しているメモ帳１がある。
【０００３】
このような市販中のメモ帳１は、主として、それぞれ所定枚数の同一の色や図面（絵柄）のメモ用紙を有する複数のメモ用紙ユニットが上下に順次重なっており、且つ各メモ用紙ユニットの色や図面が異なるものと、ユニットの分別がなく、ただその上下全体にわたって色や図面の異なるメモ用紙がランダムに混じったものとの二種類がある。
【０００４】
それにより、メモ帳は、色や図面の必要に応じて前記複数枚のメモ用紙のいずれかの一枚まで捲った後、それを剥がしてから付言（記入）したりして使用することができる。
【発明の開示】
【発明が解決しようとする課題】
【０００５】
しかしながら、前記二種類のメモ帳１は、いずれも重なった複数枚のメモ用紙１１の一側面に前記粘着剤層１２をつけて綴ってなるので、多数回にわたってメモ帳を捲ったり、メモ用紙を剥がして使用すると、図２に示すように、一側面にある粘着剤層１２が湾曲して変形してしまい、且つ、変形により粘着剤層１２の粘着性が弱くなるので、残った複数枚のメモ用紙１１が互いに分離し易くなるという欠点がある。
【０００６】
そして、前記メモ帳から剥がれたメモ用紙自体は、粘着性がないので、机などの上にそのままに置くと、風に飛ばされたりして紛失し易いという欠点もある。
【０００７】
本発明は、上記問題に鑑みてなされたものであって、何度もメモ帳を捲ったりメモ用紙を剥がして使用しても、その残されているいずれかのメモ用紙に対する粘着性を確保できて互いに分離し難く、且つ、剥がされたメモ用紙を付箋紙として机などの上に貼り付けることができ、風に飛ばされたりして紛失し難いメモ帳を提供することを課題とする。
【課題を解決するための手段】
【０００８】
前記課題を解決するために、本発明者等は、複数枚のメモ用紙が重なってなり、且つそれらの一辺側が下の一枚に粘着しているメモ帳において、前記各メモ用紙に、前記一辺側を含む第１の部分と、それ以外の第２の部分とに分けるように仕切線が設けられ、また、前記第２の部分の下面に、繰返し貼着及び剥離可能な粘着剤層が塗布形成されており、それにより、前記複数枚のメモ用紙のいずれかの一枚まで捲った後、それを前記仕切り線に沿って引き裂きながら前記第２の部分を外し、任意の場所に剥離可能に貼り付けることができることを特徴とするメモ帳を提供する。
【発明の効果】
【０００９】
この構成によるメモ帳は、使用時に前記メモ用紙の前記第２の部分だけを外すため、何度もメモ帳を捲ったり所定部分のメモ用紙を剥がして使用しても、前記各メモ用紙の前記一辺側を含んだ第１の部分は、第２の部分が既に外されたか否かに拘わらず、いつまでも残って上下の他のメモ用紙の第１の部分と重なって粘着しあっている。即ち、前記一辺側の粘着性に何ら影響を与えないので、残ったメモ用紙同士が分離し難い。
【００１０】
また、前記各メモ用紙の第２の部分は、その下面に繰返し貼着及び剥離可能な粘着剤層が塗布形成されているため、外された後、任意の場所に貼り付けることができるので、紛失する恐れがない。
【発明を実施するための最良の形態】
【００１１】
以下、本発明のメモ帳の好ましい実施形態を詳しく説明する。
【００１２】
図３は本発明のメモ帳の好ましい実施形態を示す斜視図であり、図４は前記メモ帳における各メモ用紙を示す側面図である。
【００１３】
このメモ帳２は、図３に示すように、複数のメモ用紙ユニット３００（本実施形態では七つ）が上下に順次重なるように構成されている。各メモ用紙ユニット３００は、いずれも、それらの一辺側３０１が後述する粘着剤層７１により下の一枚に粘着している所定枚数の同一の色付きのメモ用紙３と、これらメモ用紙３の最も下にあるメモ用紙３の下方に粘着されている仕切りシート８とからなっている。前記複数のメモ用紙ユニット３００は後述の強化部材５により固着されている。
【００１４】
また、前記複数のメモ用紙ユニット３００は、それぞれ異なる色を有する。前記複数枚のメモ用紙３及び仕切シート８の形状は、上下左右の４辺を有する長方形である。本実施形態において、前記一辺側３０１は前記長方形の一対の短辺中の一つに寄っている部分をいう。
【００１５】
そして、前記各メモ用紙３には、それぞれ、図３及び図４に示すように、前記長方形の一対の短辺と平行な仕切線３５が設けられている。該仕切線３５は、直線的に延びるミシン目であって前記一辺側３０１に寄っていて、前記各メモ用紙３の表面３１を、前記一辺側３０１を含んだ面積の小さい第１の部分３３と、それ以外の面積が大きい第２の部分３４とに分けている。
【００１６】
また、使用時には、通常、前記第２の部分３４は記入部とされ、前記仕切線３５に沿って引き裂くことにより、前記第１の部分３３を残存部として、それから外されることができる。
【００１７】
そして、前記各メモ用紙３の前記残存部（即ち前記第１の部分）３３及び前記記入部（即ち前記第２の部分）３４の下面には、それぞれ繰返し貼着及び剥離可能な粘着剤層７１，７２が塗布形成されている。本実施形態において、前記残存部３３及び前記記入部３４の下面の粘着剤層７１，７２は、図４に示すように、それぞれ前記一側辺３０１の縁部である短辺から前記仕切線３５を超える位置まで塗布形成されている粘着剤層７の対応部分からなっている。
【００１８】
なお、前記複数のメモ用紙ユニット３００を綴ると共に前記メモ帳２全体の構成を強化するために、前記メモ帳２の前記一辺側３０１には断面Ｕ字形の強化部材５が粘着されている。このＵ字形の強化部材５は、前記一辺側３０１の方から前記重なった複数のメモ用紙ユニット３００を挟んでその一側面に粘着し、且つ前記最も上のメモ用紙３に当てている部分５１が前記仕切り線３５まで覆い、前記最も下の仕切りシート８に当てている部分５２が前記仕切りシート８の全面にわたって覆っている。
【００１９】
一般的には、前記強化部材５は、厚い紙からなっているが、それに限らず、薄い紙からなってもよい。前記メモ用紙３及び仕切りシート８は、通常の紙からなっているが、プラスチック製の透明なものを使用してもよい。前記メモ用紙３としてプラスチック製の透明なものを使用する場合、その上面を、粗面化によって印刷や書き込み可能にすることが好ましい。
【００２０】
そして、前記メモ帳２の上面の前記一辺側３０１近傍には、ペン４が挿入される竪穴２０が開けてある。該竪穴２０は、前記強化部材５の前記最も上のメモ用紙３に当てている部分５１、前記各メモ用紙３の前記残存部３３、前記各仕切りシート８及び前記強化部材５の前記最も下の仕切りシート８に当てている部分５２を貫通している。
【００２１】
前記メモ帳２を使用する場合、必要に応じて前記複数のメモ用紙ユニット３００のいずれかの１ユニットのいずれかの１枚まで捲った後、そのメモ用紙３の前記記入部３４に付言（記入）する。そして該メモ用紙３を前記仕切り線３５に沿って引き裂きながらその記入部３４を外してから任意の場所に貼り付けることができる。
【００２２】
また、メモ用紙３毎に残存部３３が残るため、多数回にわたってメモ帳２を捲ったり、所定位置のメモ用紙３を外して使用すると、図５に示すように、前記各メモ用紙３の一辺側３０１を含む各残存部３３はやはり前記粘着剤層７１により上下の他のメモ用紙３の残存部３３と重なって粘着しあう。そのため、前記強化部材５による一側面への粘着性に何ら影響を与えないので、残ったメモ用紙同士が互いに分散したり分離し難い。
【００２３】
このように、この構成によるメモ帳２は、使用時にメモ用紙３から記入部だけが外され、残存部が残るため、いつもその製本の形をちゃんと維持することができるので、何度もメモ帳２を捲ったりメモ用紙３を剥がして使用しても、残ったメモ用紙３同士が分散したり分離し難い。
【００２４】
また、前記記入部は、その下面に繰返し貼着及び剥離可能な粘着剤層７２が塗布形成されているため、外された後、任意の場所に貼り付けることができる。
【００２５】
なお、以上に説明した実施の形態は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【００２６】
例えば、前記実施形態におけるメモ帳２は、それぞれ色の異なる複数のメモ用紙ユニット３００が上下に順次重なるように構成しているが、それに限らず、ユニットの分別がなく、ただその上下全体にわたって色や図面（絵柄）の異なるメモ用紙３がランダムに混じってなるように構成してもよい。
【００２７】
また、前記実施形態における前記メモ帳２は、前記各メモ用紙３の残存部の下面に粘着剤層７１が塗布形成され、且つ、その一辺側に強化部材５が設けられているが、それに限らず、前記残存部の下面に粘着剤層７１が塗布形成されず、前記強化部材５だけが設けられているもの、または、前記強化部材５が設けられず、前記残存部の下面及び前記仕切りシート８の前記残存部に対応する部分の下面に粘着剤層７１が塗布形成されているものも本発明の精神に一致する。勿論、前記従来のように前記メモ帳の一側面に粘着剤層だけを設けてもよい。
【００２８】
また、前記仕切線３５は直線的に設けたミシン目であるがそれに限らず、折り線であってもよい。
【図面の簡単な説明】
【００２９】
【図１】従来のメモ帳の斜視図
【図２】従来のメモ帳における一部のメモ用紙が剥がされた時の側面図
【図３】本発明のメモ帳の好ましい実施形態を示す斜視図
【図４】本実施形態のメモ帳における各メモ用紙を示す側面図
【図５】本実施形態のメモ帳における一部のメモ用紙が外された時の側面図
【符号の説明】
【００３０】
２      メモ帳
２０    竪穴
３００  メモ用紙ユニット
３０１  一辺側
３      メモ用紙
３１    表面
３３    第１の部分（残存部）
３４    第２の部分（記入部）
３５    仕切線
４      ペン
５      強化部材
５１    最も上のメモ用紙に当てている部分
５２    最も下の仕切りシートに当てている部分
７，７１，７２  粘着剤層
８      仕切りシート
【図１】
2005205872.tif 000003
【図２】
2005205872.tif 000004
【図３】
2005205872.tif 000005
【図４】
2005205872.tif 000006
【図５】
2005205872.tif 000007